(57)【要約】【課題】例えば、閉時に止水板の上に位置するシャッターカーテンの撓みをより減らすことができるような、より不都合が少なくなるよう改善された新規な構成の止水板付きシャッターを得る。【解決手段】本開示の止水板は、例えば、上下方向に移動可能なシャッターカーテンと、シャッターカーテンより下に位置され、当該シャッターカーテンと連動して上下方向に移動可能であり、建物開口の設置面上に接した閉状態において建物開口からの浸水を抑制する止水板と、シャッターカーテンに接続された第一部位と、止水板に接続された第二部位と、を有し、止水板が設置面から離間した開状態ではシャッターカーテンが第一部位および第二部位を介して止水板を吊り下げた吊下状態となり、閉状態ではシャッターカーテンによる第一部位および第二部位を介した止水板の吊り下げが解除された解除状態となる、吊下機構と、を備える。【選択図】図５
2020172810.tif 000002
【特許請求の範囲】
【請求項１】
上下方向に移動可能なシャッターカーテンと、
前記シャッターカーテンより下に位置され、当該シャッターカーテンと連動して上下方向に移動可能であり、建物開口の設置面上に接した閉状態において前記建物開口からの浸水を抑制する止水板と、
前記シャッターカーテンに接続された第一部位と、前記止水板に接続された第二部位と、を有し、前記止水板が前記設置面から離間した開状態では前記シャッターカーテンが前記第一部位および前記第二部位を介して前記止水板を吊り下げた吊下状態となり、前記閉状態では前記シャッターカーテンによる前記第一部位および前記第二部位を介した前記止水板の吊り下げが解除された解除状態となる、吊下機構と、
を備えた、止水板付きシャッター。
【請求項２】
前記第一部位は、吊下部を有し、
前記第二部位は、前記開状態にあっては前記吊下部上に接し前記閉状態にあっては前記吊下部から上方に離間する被吊下部を有した、請求項１に記載の止水板付きシャッター。
【請求項３】
前記閉状態において前記シャッターカーテンの下端と前記設置面との距離が所定距離以下である状態で前記シャッターカーテンと前記止水板との間に介在し、前記シャッターカーテンからの荷重を止水板に伝達する伝達部位を有する伝達部材を備えた、請求項１または２に記載の止水板付きシャッター。
【請求項４】
前記第一部位および前記第二部位のうちの一方の部位が、前記伝達部材に設けられた、請求項３に記載の止水板付きシャッター。
【請求項５】
前記伝達部位は、前記シャッターカーテンからの荷重によって上下方向と交差する方向に凸または凹となる形状に弾性的に曲がる、請求項３または４に記載の止水板付きシャッター。
【請求項６】
前記伝達部位は、上下方向に延びる板状の形状を有した延部を含む、請求項３〜５のうちいずれか一つに記載の止水板付きシャッター。
【請求項７】
前記伝達部材は、それぞれ屈曲部を有し互いに厚さ方向に重ねられた複数の板状部材を有した、請求項６に記載の止水板付きシャッター。
【請求項８】
前記伝達部材は、
前記建物開口の幅方向に並んだ複数の第一板状部材と、
それぞれ前記第一板状部材の屋内側に重ねられ前記幅方向に並んだ複数の第二板状部材と、
を有し、前記第一板状部材と前記第二板状部材とは、幅方向に互いにずれて重なった、請求項７に記載の止水板付きシャッター。
【発明の詳細な説明】
【技術分野】
【０００１】
本開示は、止水板付きシャッターに関する。
【背景技術】
【０００２】
従来、シャッターの下に止水板が設けられた止水板付きシャッターが、知られている（例えば、特許文献１参照）。
【先行技術文献】
【特許文献】
【０００３】
【特許文献１】特開２００７−２１７９９３号公報
【発明の概要】
【発明が解決しようとする課題】
【０００４】
この種の止水板付きシャッターでは、例えば、シャッターカーテンの下端が止水板に固定されている場合、閉時において、止水板上に載ったシャッターカーテンが座屈したような状態で撓む場合がある。
【０００５】
そこで、本開示の課題の一つは、例えば、閉時に止水板の上に位置するシャッターカーテンの撓みをより減らすことができるような、より不都合が少なくなるよう改善された新規な構成の止水板付きシャッターを得ることである。
【課題を解決するための手段】
【０００６】
本開示の止水板付きシャッターは、例えば、上下方向に移動可能なシャッターカーテンと、上記シャッターカーテンより下に位置され、当該シャッターカーテンと連動して上下方向に移動可能であり、建物開口の設置面上に接した閉状態において上記建物開口からの浸水を抑制する止水板と、上記シャッターカーテンに接続された第一部位と、上記止水板に接続された第二部位と、を有し、上記止水板が上記設置面から離間した開状態では上記シャッターカーテンが上記第一部位および上記第二部位を介して上記止水板を吊り下げた吊下状態となり、上記閉状態では上記シャッターカーテンによる上記第一部位および上記第二部位を介した上記止水板の吊り下げが解除された解除状態となる、吊下機構と、を備える。このような構成によれば、例えば、閉状態では、吊下機構において、シャッターカーテンによる第一部位および第二部位を介した止水板の吊下状態が解除されるので、閉状態においてシャッターカーテンが止水板の上に載ることにより撓むのを抑制することができる。
【０００７】
また、上記止水板付きシャッターでは、例えば、上記第一部位は、吊下部を有し、上記第二部位は、上記開状態にあっては上記吊下部上に接し上記閉状態にあっては上記吊下部から上方に離間する被吊下部を有する。このような構成によれば、例えば、吊下機構を、比較的簡単な構成によって実現することができる。
【０００８】
また、上記止水板付きシャッターは、例えば、上記閉状態において上記シャッターカーテンの下端と上記設置面との距離が所定距離以下である状態で上記シャッターカーテンと上記止水板との間に介在し、上記シャッターカーテンからの荷重を止水板に伝達する伝達部位を有する伝達部材を備える。このような構成によれば、例えば、シャッターカーテンの自重のようなシャッターカーテンからの荷重を、伝達部材を介して止水板に伝達することができ、これにより、例えば、止水板と設置面との間におけるシール性をより高めることができる。
【０００９】
また、上記止水板付きシャッターでは、例えば、上記第一部位および上記第二部位のうちの一方の部位が、上記伝達部位を含む。このような構成によれば、例えば、第一部位または第二部位と伝達部位とをそれぞれ別個に備えた構成に比べて、構成をより簡素化したり、より小型化したりすることができる。
【００１０】
また、上記止水板付きシャッターでは、例えば、上記伝達部位の少なくとも一部は、上記シャッターカーテンからの荷重によって上下方向と交差する方向に凸または凹となる状態に弾性的に曲がる。このような構成によれば、例えば、伝達部位の弾性的な撓みによって、シャッターカーテンの撓みを抑制することができる。
【００１１】
また、上記止水板付きシャッターでは、例えば、上記伝達部材は、上下方向に延びる板状の形状を有した延部を含む。このような構成によれば、例えば、延部をシャッターカーテンから受けた荷重によって弾性的に撓む伝達部位とすることができ、伝達部材を比較的簡素な構成によって実現することができる。
【００１２】
また、上記止水板付きシャッターでは、例えば、上記伝達部材は、それぞれ屈曲部を有し互いに厚さ方向に重ねられた複数の板状部材を有する。このような構成によれば、例えば、屈曲部において、より厚い一枚の板状部材が曲げられた構成に比べて、当該屈曲部の曲率半径をより小さくすることができ、伝達部材ひいては止水板付きシャッターを、より小型化することができる。
【００１３】
また、上記止水板付きシャッターは、例えば、上記伝達部材は、上記建物開口の幅方向に並んだ複数の第一板状部材と、それぞれ上記第一板状部材の屋内側に重ねられ上記幅方向に並んだ複数の第二板状部材と、を有し、上記第一板状部材と上記第二板状部材とは、幅方向に互いにずれて重なっている。このような構成によれば、例えば、互いに幅方向に隣接する二つの第一板状部材の境界、および互いに幅方向に隣接する二つの第二板状部材の境界から、光が漏れるのを、抑制することができる。
【発明の効果】
【００１４】
本開示によれば、より不都合が少なくなるよう改善された新規な構成の止水板付きシャッターを得ることができる。
【図面の簡単な説明】
【００１５】
【図１】図１は、実施形態の止水装置の例示的かつ模式的な正面図であって、シャッターが閉位置に位置された状態の図である。
【図２】図２は、実施形態の止水装置の例示的かつ模式的な側面図であって、シャッターが閉位置に位置された状態の図である。
【図３】図３は、実施形態の止水装置の例示的かつ模式的な側面図であって、シャッターが開位置に位置された状態の図である。
【図４】図４は、実施形態の止水板付きシャッターの一部の例示的かつ模式的な断面図であって、止水板が設置面に接していない開状態を示す図である。
【図５】図５は、実施形態の止水板付きシャッターの一部の例示的かつ模式的な断面図であって、止水板が設置面に接した閉状態および伝達部材がシャッターカーテンと止水板との間に介在していない状態を示す図である。
【図６】図６は、実施形態の止水板付きシャッターの一部の例示的かつ模式的な断面図であって、止水板が設置面に接した閉状態、および伝達部材がシャッターカーテンと止水板との間に介在した伝達状態（伝達開始状態）を示す図である。
【図７】図７は、実施形態の止水板付きシャッターの一部の例示的かつ模式的な断面図であって、止水板が設置面に接した閉状態、伝達部材がシャッターカーテンと止水板との間に介在した伝達状態、および伝達部材が撓んだ状態を示す図である。
【図８】図８は、実施形態の止水板付きシャッターの接続機構に含まれる第二部材の屋内方向に見た例示的かつ模式的な正面図である。
【発明を実施するための形態】
【００１６】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１７】
また、本明細書において、序数は、部品や部位等を区別するために便宜上付与されており、優先順位や順番を示すものではない。
【００１８】
また、各図中、建物開口１の幅方向をＤｗ、上方をＤｕ、下方をＤｌと記す。また、幅方向Ｄｗおよび上方Ｄｕと直交し屋内側に向かう方向を屋内方向と称してＤｉと記し、幅方向Ｄｗおよび上方Ｄｕと直交し屋外側に向かう方向を屋外方向と称してＤｏと記す。また、以下では、特に断らない限り、建物開口１の幅方向を、単に幅方向と称する。また、以下では、単に、便宜上、屋内側を前、屋外側を後と称している。
【００１９】
［実施形態］
図１は、止水装置１０の正面図であって、シャッター１００が閉位置Ｐｃに位置された状態を示す。図２は、止水装置１０の側面図（一部断面図）であって、シャッター１００が閉位置Ｐｃに位置された状態を示す。図３は、止水装置１０の側面図（一部断面図）であって、シャッター１００が開位置Ｐｏに位置された状態を示す。
【００２０】
図１〜３に示されるように、止水装置１０は、上下方向に移動して建物開口１を開閉するシャッター１００を備えている。シャッター１００は、上下開閉式シャッターとも称されうる。建物は、例えば、車庫や、工場、倉庫、ビル、店舗、住宅等の建築構造物であり、自動車等の車両や人間等が建物開口１を介して建物に出入りしうる。
【００２１】
止水装置１０は、建物に設置されている設備として、ガイドレール２１０および巻取装置２２０を備えている。
【００２２】
ガイドレール２１０は、シャッター１００の幅方向両端を上下方向に移動可能に支持している。ガイドレール２１０によって上下移動可能に支持されるシャッター１００は、図１，２に示される閉位置Ｐｃと、図３に示される開位置Ｐｏとの間で移動することができる。シャッター１００は、可動部材とも称されうる。
【００２３】
また、ガイドレール２１０は、閉位置Ｐｃに位置されたシャッター１００の幅方向両端を支持する支持部材として機能する。ガイドレール２１０は、閉位置Ｐｃに位置された状態で、洪水等によってシャッター１００に屋外側から水圧が作用した場合、当該シャッター１００をその幅方向の両端で支持する。なお、ガイドレール２１０とは別の部材によって、止水板１２０を支持してもよい。
【００２４】
巻取装置２２０は、建物開口１の上方に隣接して設けられている。巻取装置２２０は、モータおよび巻取軸（不図示）を有している。制御装置（不図示）によって制御されたモータのシャフトの回転に応じて、巻取軸におけるシャッター１００の巻取状態と繰出状態とが切り替わる。巻取状態は、収納状態とも称され、繰出状態は、送出状態とも称されうる。シャッター１００は、巻取軸に巻き取られることにより、建物開口１を開く。また、シャッター１００は、巻取軸から繰り出されることにより、建物開口１を閉じる。
【００２５】
図１〜３に示されるように、シャッター１００は、シャッターカーテン１１０、止水板１２０、および接続機構３００を有している。止水板１２０は、シャッターカーテン１１０の長手方向、すなわち繰出方向の先端に接続されており、図１，２に示されるようなシャッター１００が閉位置Ｐｃに位置されている状態では、止水板１２０は、シャッターカーテン１１０の下方に隣接している。すなわち、止水板１２０は、シャッター１００の長手方向の端部を構成している。シャッター１００は、止水板付きシャッターの一例である。
【００２６】
図１に示されるように、シャッターカーテン１１０は、複数のスラット１１１を有している。各スラット１１１は、帯状かつ板状の形状を有し、シャッター１００の長手方向に一定の幅を有し、シャッター１００の幅方向に延びている。複数のスラット１１１が当該スラット１１１の幅方向、すなわちシャッター１００の長手方向に並べられ、互いに隣接したスラット１１１の幅方向端部同士が回動可能に接続され、これにより、シャッターカーテン１１０が構成されている。シャッターカーテン１１０は、例えば鉄系材料やアルミ二ウム合金のような金属材料によって作られる。
【００２７】
止水板１２０は、シャッターカーテン１１０の長手方向の端部、言い換えるとシャッターカーテン１１０の繰出方向の端部に、接続されており、長方形状かつ板状の形状、言い換えると扁平な直方体状の形状を有している。止水板１２０は、シャッター１００の長手方向に短く、シャッター１００の幅方向に長く、かつシャッター１００の厚さ方向に薄い。図１，２に示されるように、閉位置Ｐｃでは、止水板１２０の幅方向は上下方向に沿い、止水板１２０の長手方向は建物開口１の幅方向に沿い、止水板１２０の厚さ方向は屋内方向（屋外方向）に沿っている。
【００２８】
図２に示されるように、止水板１２０の前面１２０ａは、止水板１２０の屋内方向の端部に位置され、長方形状の形状を有し、屋内方向を向き、上下方向かつ幅方向に延びている。言い換えると、前面１２０ａは、上下方向に一定の幅で、幅方向に延びている。
【００２９】
止水板１２０の後面１２０ｂは、止水板１２０の屋外方向の端部に位置され、長方形状の形状を有し、屋外方向を向き、上下方向かつ幅方向に延びている。言い換えると、後面１２０ｂは、上下方向に一定の幅で、幅方向に延びている。
【００３０】
止水板１２０の底面１２０ｃは、止水板１２０の下方の端部に位置され、長方形状の形状を有し、下方を向き、屋内方向（屋外方向）および幅方向に延びている。言い換えると、底面１２０ｃは、屋内方向（屋外方向）に一定の幅で、幅方向に延びている。
【００３１】
止水板１２０の側面１２０ｄは、止水板１２０の幅方向の端部に位置され、長方形状の形状を有し、幅方向を向き、屋内方向（屋外方向）および上下方向に延びている。言い換えると、側面１２０ｄは、屋内方向（屋外方向）に一定の幅で、上下方向に延びている。側面１２０ｄは、端面の一例である。
【００３２】
また、止水板１２０は、中空板１２１と、不図示のシール部材とを有している。
【００３３】
中空板１２１は、前壁１２１ａ、後壁１２１ｂ、底壁１２１ｃ、二つの側壁１２１ｄ、および天壁１２１ｅを有し、その内部には、これら前壁１２１ａ、後壁１２１ｂ、底壁１２１ｃ、二つの側壁１２１ｄ、および天壁１２１ｅで囲まれた内室（中空部）が設けられている。また、図示しないが、中空板１２１の内部には、前壁１２１ａと後壁１２１ｂとの間で渡る隔壁が設けられている。中空板１２１は、例えば、鉄系材料やアルミ二ウム合金のような金属材料で作られる。
【００３４】
前壁１２１ａは、止水板１２０の屋内方向の端部に位置され、長方形状かつ板状の形状を有し、上下方向かつ幅方向に延びている。前壁１２１ａは、屋内側の前面１２０ａを有している。
【００３５】
後壁１２１ｂは、止水板１２０の屋外方向の端部に位置され、長方形状かつ板状の形状を有し、上下方向かつ幅方向に延びている。後壁１２１ｂは、屋外側の後面１２０ｂを有している。
【００３６】
底壁１２１ｃは、止水板１２０の下方の端部に位置され、長方形状かつ板状の形状を有し、屋内方向（屋外方向）および幅方向に延びている。底壁１２１ｃは、下側の底面１２０ｃを有している。
【００３７】
二つの側壁１２１ｄは、止水板１２０の幅方向の端部に位置され、長方形状かつ板状の形状を有し、屋内方向（屋外方向）および上下方向に延びている。
【００３８】
また、天壁１２１ｅは、止水板１２０の上方の端部に位置され、長方形状かつ板状の形状を有し、屋内方向（屋外方向）および幅方向に延びている。
【００３９】
シール部材は、止水板１２０の底面１２０ｃ上および前面１２０ａ上に設けられ、底面１２０ｃと設置面１ａとの間、および前面１２０ａと支持面２１０ａとの間をシールする。
【００４０】
図４〜６は、シャッターカーテン１１０、接続機構３００、および止水板１２０の幅方向に見た場合の断面図であって、図４は、止水板１２０の底面１２０ｃが設置面１ａに接していない開状態、図５は、底面１２０ｃが設置面１ａと接した閉状態であってシャッターカーテン１１０の下端１１０ａが設置面１ａから離れた状態、図６は、閉状態であってシャッターカーテン１１０の下端１１０ａが図５よりも設置面１ａに近付き、シャッターカーテン１１０と止水板１２０との間に第二部材３２０が介在した状態を示す図である。
【００４１】
接続機構３００は、シャッターカーテン１１０と止水板１２０との間に設けられている。接続機構３００は、第一部材３１０と、第二部材３２０とを有している。第一部材３１０は、シャッターカーテン１１０の最下部のスラット１１１に取り付けられ、第二部材３２０は、止水板１２０の上端の立壁１２１ｆに取り付けられている。
【００４２】
第一部材３１０は、天壁３１０ａ、立壁３１０ｂ、後壁３１０ｃ、前壁３１０ｄ、端部３１０ｅ，３１０ｆ、およびシャフト３１４を有している。第一部材３１０は、例えば鉄系材料やアルミ二ウム合金のような金属材料によって作られる。天壁３１０ａ、立壁３１０ｂ、後壁３１０ｃ、前壁３１０ｄ、および端部３１０ｅ，３１０ｆは、幅方向に略一定の幅を有している。第一部材３１０は、例えば、プレス成形や折曲成形によって作られる。
【００４３】
天壁３１０ａは、四角形状かつ板状の形状を有し、上下方向と交差しかつ直交している。天壁３１０ａは、屋内方向（屋外方向）に略一定の幅で、幅方向に延びている。
【００４４】
立壁３１０ｂは、天壁３１０ａの屋内方向（屋外方向）の中央部から、幅方向に一定の幅で上方に延びている。立壁３１０ｂは、四角形状かつ板状の形状を有し、屋内方向（屋外方向）と交差しかつ直交している。
【００４５】
後壁３１０ｃは、天壁３１０ａの屋外方向の端部から、幅方向に一定の幅で下方に延びている。後壁３１０ｃは、四角形状かつ板状の形状を有し、屋内方向（屋外方向）と交差しかつ直交している。
【００４６】
前壁３１０ｄは、天壁３１０ａの屋内方向の端部から、幅方向に一定の幅で下方に延びている。前壁３１０ｄは、四角形状かつ板状の形状を有し、屋内方向（屋外方向）と交差しかつ直交している。
【００４７】
端部３１０ｅ，３１０ｆは、後壁３１０ｃおよび前壁３１０ｄの下端から、それぞれ略Ｕ字状に屈曲している。端部３１０ｅの先端は、後壁３１０ｃから屋内方向に離間するとともに、上方に延びている。端部３１０ｆの先端は、前壁３１０ｄから屋内方向に離間するとともに、上方に延びている。
【００４８】
なお、本実施形態では、これら天壁３１０ａ、立壁３１０ｂ、後壁３１０ｃ、および前壁３１０ｄは、アウタプレート３１１、インナプレート３１２、およびサポートプレート３１３が重なりあって構成され、各壁において二枚のプレートが重なっているが、これには限定されない。
【００４９】
シャフト３１４は、天壁３１０ａから下方に離間した位置で、屋内方向（屋外方向）に延びており、後壁３１０ｃと前壁３１０ｄとの間で架け渡されている。
【００５０】
立壁３１０ｂは、シャッターカーテン１１０の最下部のスラット１１１に、例えばボルトのような結合具によって、取り付けられている。
【００５１】
第二部材３２０は、天壁３２０ａ、立壁３２０ｂ、および底壁３２０ｃを有している。第二部材３２０は、例えば鉄系材料やアルミ二ウム合金のような金属材料によって作られる。天壁３２０ａ、立壁３２０ｂ、および底壁３２０ｃは、幅方向に略一定の幅を有している。図４に示される開状態において、第二部材３２０は、第一部材３１０に吊り下げられている（引っ掛かっている）。第一部材３１０は、第一部位の一例であり、第二部材３２０は、第二部位の一例である。
【００５２】
天壁３２０ａは、四角形状かつ板状の形状を有し、上下方向と交差しかつ直交している。天壁３２０ａは、屋内方向（屋外方向）に略一定の幅で、幅方向に延びている。
【００５３】
立壁３２０ｂは、天壁３２０ａの屋外方向の端部から、幅方向に一定の幅で下方に延びている。立壁３２０ｂは、四角形状かつ板状の形状を有し、屋内方向（屋外方向）と交差しかつ直交している。
【００５４】
底壁３２０ｃは、立壁３２０ｂの下端から、幅方向に一定の幅で屋内方向に延びている。底壁３２０ｃは、四角形状かつ板状の形状を有し、上下方向と交差しかつ直交している。
【００５５】
図４〜６に示されるように第二部材３２０は、幅方向に見た場合にＺ字状の形状を有している。天壁３２０ａと立壁３２０ｂとの間、および立壁３２０ｂと底壁３２０ｃとの間には、それぞれ屈曲部３２０ｄが設けられている。第二部材３２０は、例えば、プレス成形や折曲成形によって作られる。
【００５６】
底壁３２０ｃが天面１２０ｅに当接しかつ天面１２０ｅに沿う姿勢で、立壁３２０ｂが、止水板１２０の天壁１２１ｅから突出した立壁１２１ｆに、例えばボルトのような結合具によって、取り付けられている。
【００５７】
立壁３２０ｂの幅方向の中央には、当該立壁３２０ｂを屋内方向（屋外方向）に貫通し上下方向に延びる長穴３２０ｅが設けられており、第一部材３１０のシャフト３１４が、当該長穴３２０ｅを貫通している。
【００５８】
なお、本実施形態では、これら天壁３２０ａ、立壁３２０ｂ、および底壁３２０ｃは、アウタプレート３２１およびインナプレート３２２が重なりあって構成され、各壁において二枚のプレートが重なっている。
【００５９】
ここで、図４〜７を参照して、接続機構３００の作動について説明する。図４に示される開状態において、シャッターカーテン１１０は、接続機構３００を介して止水板１２０を吊り下げている（吊下状態）。接続機構３００において、第二部材３２０の天壁３２０ａが、第一部材３１０のシャフト３１４上に接している。よって、接続機構３００は、吊下機構の一例であり、シャフト３１４が、吊下部の一例であり、天壁３２０ａが、被吊下部の一例である。
【００６０】
図５に示される閉状態において、止水板１２０が設置面１ａと接した分、図４の開状態と比較して、シャッターカーテン１１０の下端１１０ａと止水板１２０の天面１２０ｅとが上下方向に近付き、これに伴い、接続機構３００において、第二部材３２０の天壁３２０ａは、第一部材３１０のシャフト３１４上から離間している。この場合、シャッターカーテン１１０による接続機構３００を介した止水板１２０の吊下状態が解除される（解除状態）。
【００６１】
図６に示される閉状態では、シャッターカーテン１１０が図５よりも下方へ移動し、シャッターカーテン１１０の下端１１０ａと設置面１ａとの距離が、図５の場合の距離よりも短くなっている。これに伴い、第二部材３２０の天壁３２０ａは、第一部材３１０の天壁３１０ａの下に接している。この場合、シャッターカーテン１１０からの荷重が、第二部材３２０を介して止水板１２０に伝達される。よって、第二部材３２０は、伝達部材の一例である。また、この場合、シャッターカーテン１１０からの荷重は、天壁３２０ａ、立壁３２０ｂ、および底壁３２０ｃを介して、止水板１２０に伝達される。よって、天壁３２０ａ、立壁３２０ｂ、および底壁３２０ｃは、伝達部位の一例である。図６に示される接続機構３００の状態は、伝達状態や、加重状態、伝達開始状態、加重開始状態等と称される。
【００６２】
図６に示されるような、第一部材３１０の天壁３１０ａと第二部材３２０の天壁３２０ａとの当接は、止水板１２０が閉位置Ｐｃにある状態でのシャッターカーテン１１０の下降に伴って、図５に示される上下方向の隙間Ｇが無くなった時点で、生じる。したがって、第二部材３２０は、シャッターカーテン１１０の下端１１０ａと設置面１ａ（図６には不図示）との距離が、図６の状態での距離Ｌｔｈ以下である場合に、伝達部材として機能する。距離Ｌｔｈは、所定距離の一例であり、閾値とも称される。
【００６３】
また、図６よりもさらにシャッターカーテン１１０が下降した図７に示される状態では、第二部材３２０の立壁３２０ｂは、シャッターカーテン１１０からの下方への荷重と、止水板１２０からの上方への反力を受けて撓み、屋内方向または屋外方向に凸または凹となる状態に屈曲している、言い換えると座屈している。また、シャッター１００には、この場合の立壁３２０ｂの変形は、塑性変形とならず、弾性変形となるよう、シャッターカーテン１１０と止水板１２０との所定距離以上の相対的な近接を制限するストッパ機構４００が設けられている。具体的には、例えば、第一部材３１０の下方の端部３１０ｆと、止水板１２０の立壁１２１ｆの先端とが、上下方向に重なっており、端部３１０ｆと立壁１２１ｆとの干渉によって、シャッターカーテン１１０の下方変位が制限されるよう、構成されている。よって、端部３１０ｆおよび立壁１２１ｆは、シャッターカーテン１１０の下方変位を制限するストッパ機構４００の一例であり、端部３１０ｆは、シャッターカーテン１１０に設けられた第一ストッパの一例であり、立壁１２１ｆは、止水板１２０に設けられた第二ストッパの一例である。また、第二部材３２０の立壁３２０ｂは、延部の一例である。図７に示される接続機構３００の状態は、伝達状態や、撓み状態等と称される。
【００６４】
また、図８は、第二部材３２０の正面図である。図７に示されるように、第二部材３２０は、幅方向に並んだ複数のアウタプレート３２１と幅方向に並んだ複数のインナプレート３２２と、を有している。図７から明らかとなるように、アウタプレート３２１とインナプレート３２２とは、幅方向に互いにずれて重なっている。これにより、互いに隣接するアウタプレート３２１間の境界Ｂ１は、インナプレート３２２によって覆われるとともに、互いに隣接するインナプレート３２２間の境界Ｂ２は、アウタプレート３２１によって覆われている。アウタプレート３２１は、第一板状部材の一例であり、インナプレート３２２は、第二板状部材の一例である。
【００６５】
以上、説明したように、本実施形態では、接続機構３００（吊下機構）は、第一部材３１０（第一部位）と第二部材３２０（第二部位）とを有し、止水板１２０が設置面１ａから離間した開状態（図４）ではシャッターカーテン１１０が第一部材３１０および第二部材３２０を介して止水板１２０を吊り下げた吊下状態となり、止水板１２０が設置面１ａに接した閉状態（図５〜７）ではシャッターカーテン１１０による第一部材３１０および第二部材３２０を介した止水板１２０の吊り下げが解除された解除状態となる。このような構成によれば、例えば、閉状態では、接続機構３００において、シャッターカーテン１１０による第一部材３１０および第二部材３２０を介した止水板１２０の吊下状態が解除されるので、閉状態においてシャッターカーテン１１０が止水板１２０の上に載ることにより撓むのを抑制することができる。
【００６６】
また、本実施形態では、例えば、第一部材３１０は、シャフト３１４（吊下部）を有し、第二部材３２０は、開状態にあってはシャフト３１４上に接し閉状態にあってはシャフト３１４から上方に離間する天壁３２０ａ（被吊下部）を有する。このような構成によれば、例えば、吊下機構を、比較的簡単な構成によって実現することができる。なお、吊下部および被吊下部の構成は、これには限定されない。
【００６７】
また、本実施形態では、例えば、第二部材３２０（伝達部材）は、閉状態においてシャッターカーテン１１０の下端１１０ａと設置面１ａとの距離が距離Ｌｔｈ（所定距離、図６参照）以下である状態（図６，７）において、シャッターカーテン１１０と止水板１２０との間に介在し、シャッターカーテン１１０からの荷重を止水板１２０に伝達する。このような構成によれば、例えば、シャッターカーテン１１０の自重のようなシャッターカーテン１１０からの荷重を、第二部材３２０を介して止水板１２０に伝達することができ、これにより、例えば、止水板１２０と設置面１ａとの間のシール部材の面圧が高まり、当該シール部材によるシール性をより高めることができる。
【００６８】
また、本実施形態では、例えば、第二部材３２０（一方の部位）が、天壁３２０ａ、立壁３２０ｂ、および底壁３２０ｃ（伝達部位）を含む。このような構成によれば、例えば、第一部材３１０および第二部材３２０と伝達部位とをそれぞれ別個に備えた構成に比べて、構成をより簡素化したり、より小型化したりすることができる。
【００６９】
また、本実施形態では、例えば、立壁３１０ｂ（伝達部位の少なくとも一部）は、シャッターカーテン１１０からの荷重によって上下方向と交差する方向に凸または凹となる状態に弾性的に曲がる。このような構成によれば、例えば、立壁３１０ｂの弾性的な撓みによって、シャッターカーテン１１０の撓みを抑制することができる。
【００７０】
また、本実施形態では、例えば、第二部材３２０は、上下方向に延びる板状の形状を有した立壁３２０ｂ（延部）を含む。このような構成によれば、例えば、立壁３２０ｂを、シャッターカーテン１１０から受けた荷重によって弾性的に撓む伝達部位とすることができ、伝達部材を比較的簡素な構成によって実現することができる。
【００７１】
また、本実施形態では、例えば、第二部材３２０は、それぞれ屈曲部３２０ｄを有し互いに厚さ方向に重ねられたアウタプレート３２１（第一板状部材、複数の板状部材のうちの一つ）およびインナプレート３２２（第二板状部材、複数の板状部材のうちの一つ）を有する。このような構成によれば、例えば、屈曲部３２０ｄにおいて、より厚い一枚の板状部材が曲げられた構成に比べて、当該屈曲部３２０ｄの曲率半径をより小さくすることができ、第二部材３２０ひいてはシャッター１００（止水板付きシャッター）を、より小型化することができる。また、第一部材３１０あるいは第二部材３２０を板状部材のプレス成形や折曲成形によって作ることにより、製造のコストや手間が減りやすい。
【００７２】
また、本実施形態では、例えば、アウタプレート３２１およびインナプレート３２２が、互いに幅方向にずれた状態で厚さ方向（屋内方向または屋外方向）に重なっている。このような構成によれば、例えば、互いに幅方向に隣接する二つのアウタプレート３２１の境界Ｂ１、および互いに幅方向に隣接する二つのインナプレート３２２の境界Ｂ２の双方から、光が漏れるのを、抑制することができる。
【００７３】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００７４】
例えば、伝達部材は、第一部材に設けられてもよい。また、第一部位を構成する部材や第二部位を構成する部材は、一つの部材によって構成されてもよい。
【符号の説明】
【００７５】
１…建物開口、１ａ…設置面、１００  シャッター（止水板付きシャッター）、１１０  シャッターカーテン、１１０ａ…下端、１２０…止水板、３００…接続機構（吊下機構、伝達機構）、３１０…第一部材（第一部位）、３１４…シャフト（吊下部）、３２０…第二部材（第二部位、伝達部材）、３２０ａ…天壁（被吊下部、伝達部位）、３２０ｂ…立壁（伝達部位、延部）、３２０ｃ…底壁（伝達部位）。
【図１】
2020172810.tif 000003
【図２】
2020172810.tif 000004
【図３】
2020172810.tif 000005
【図４】
2020172810.tif 000006
【図５】
2020172810.tif 000007
【図６】
2020172810.tif 000008
【図７】
2020172810.tif 000009
【図８】
2020172810.tif 000010